(57)【要約】【課題】利用範囲の広いウェブページを提供することができる携帯端末用動画配信装置を提供する。【解決手段】装置全体を制御する制御部１１と、ユーザ携帯電話機２との通信を行うネットワーク通信部１２と、動画の配信を要求する選択肢とメッセージ表示を要求する選択肢とを有するウェブページ、すなわち、動画の配信を要求する選択肢のみを有するウェブページよりも利用範囲の広いウェブページを記憶するウェブページデータ記憶部１３と、動画データを記憶する動画データ記憶部１４と、メッセージデータを記憶するメッセージデータ記憶部１５とを備える携帯端末用動画配信装置１。【選択図】図１
2009060218.tif 000002
【特許請求の範囲】
【請求項１】
動画の配信を要求する選択肢とメッセージ表示を要求する選択肢とを有するウェブページデータを記憶するウェブページデータ記憶部と、動画データを記憶する動画データ記憶部と、メッセージデータを記憶するメッセージデータ記憶部と、ネットワーク通信部と、制御部とを備え、
前記制御部は、
携帯端末から送信される前記動画の配信を要求する選択肢とメッセージ表示を要求する選択肢とを有するウェブページデータの送信要求信号を前記ネットワーク通信部を介して受け取ると、前記動画の配信を要求する選択肢とメッセージ表示を要求する選択肢とを有するウェブページデータを前記ウェブページデータ記憶部から読み出して前記携帯端末に送信し、
前記携帯端末によって前記動画の配信を要求する選択肢が選択された場合に前記携帯端末から送信される動画データの送信要求信号を前記ネットワーク通信部を介して受け取ると、前記動画の配信を要求する選択肢に対応する動画データを前記動画データ記憶部から読み出して前記携帯端末に送信し、
前記携帯端末によって前記メッセージ表示を要求する選択肢が選択された場合に前記携帯端末から送信されるメッセージ表示要求信号を前記ネットワーク通信部を介して受け取ると、前記メッセージ表示を要求する選択肢に対応するメッセージデータを前記メッセージデータ記憶部から読み出して前記携帯端末に送信することを特徴とする携帯端末用動画配信装置。
【請求項２】
動画の配信を要求する選択肢とメッセージ表示を要求する選択肢とを有するウェブページデータが、公共施設に関するウェブページのデータである請求項１に記載の携帯端末用動画配信装置。
【請求項３】
複数のメールアドレスに対して同一内容の電子メールを一斉に配信する一斉メール配信手段を備える請求項１又は請求項２に記載の携帯端末用動画配信装置。
【請求項４】
前記一斉メール配信手段が、管理者携帯端末からの指示に応じて、複数のメールアドレスに対して同一内容の電子メールを一斉に配信する請求項３に記載の携帯端末用動画配信装置。
【発明の詳細な説明】
【技術分野】
【０００１】
本発明は、携帯端末からの配信要求に応じて動画を配信する携帯端末用動画配信装置に関する。
【背景技術】
【０００２】
従来より、携帯電話機からの配信要求に応じて動画を配信する携帯端末用動画配信装置が種々提案されている（例えば、特許文献１及び特許文献２参照）。かかる携帯端末用動画配信装置から携帯電話機がウェブページデータを取得し、携帯電話機の表示部に表示されたウェブページ内の動画配信を要求する選択肢がユーザの操作により選択されると、携帯端末用動画配信装置から携帯電話機への動画配信が開始される。これにより、ユーザは携帯電話機の表示部で動画を見ることができる。
【０００３】
【特許文献１】特開２００７−１５８６８５号公報
【特許文献２】特開２００４−２２２１２４号公報
【発明の開示】
【発明が解決しようとする課題】
【０００４】
従来の携帯端末用動画配信装置が提供するウェブページの一形態として、地域社会での競合が激化している学校や病院等の公共施設が不特定多数の人に対して自己ＰＲを行うためのウェブページが考えられる。しかしながら、このようなウェブページは、コンテンツとして、地域社会での競合が激化している学校や病院等の公共施設が不特定多数の人に対して自己ＰＲを行うための動画のみしか有していなかったため、例えば学校のウェブページの場合、在校生の保護者が閲覧すること等は余り期待できず、利用範囲が限られているという問題があった。
【０００５】
本発明は、上記の状況に鑑み、利用範囲の広いウェブページを提供することができる携帯端末用動画配信装置を提供することを目的とする。
【課題を解決するための手段】
【０００６】
上記目的を達成するために本発明に係る携帯端末用動画配信装置は、動画の配信を要求する選択肢とメッセージ表示を要求する選択肢とを有するウェブページデータを記憶するウェブページデータ記憶部と、動画データを記憶する動画データ記憶部と、メッセージデータを記憶するメッセージデータ記憶部と、ネットワーク通信部と、制御部とを備える。そして、前記制御部は、携帯端末から送信される前記動画の配信を要求する選択肢とメッセージ表示を要求する選択肢とを有するウェブページデータの送信要求信号を前記ネットワーク通信部を介して受け取ると、前記動画の配信を要求する選択肢とメッセージ表示を要求する選択肢とを有するウェブページデータを前記ウェブページデータ記憶部から読み出して前記携帯端末に送信し、前記携帯端末によって前記動画の配信を要求する選択肢が選択された場合に前記携帯端末から送信される動画データの送信要求信号を前記ネットワーク通信部を介して受け取ると、前記動画の配信を要求する選択肢に対応する動画データを前記動画データ記憶部から読み出して前記携帯端末に送信し、前記携帯端末によって前記メッセージ表示を要求する選択肢が選択された場合に前記携帯端末から送信されるメッセージ表示要求信号を前記ネットワーク通信部を介して受け取ると、前記メッセージ表示を要求する選択肢に対応するメッセージデータを前記メッセージデータ記憶部から読み出して前記携帯端末に送信する。
【０００７】
上記構成の携帯端末用動画配信装置によると、動画の配信を要求する選択肢とメッセージ表示を要求する選択肢とを有するウェブページ、すなわち、動画の配信を要求する選択肢のみを有するウェブページよりも利用範囲の広いウェブページを提供することができる。従来、携帯端末へのメッセージ配信は電子メールを用いたもののみであったため、ウェブページにおいて不特定多数の人を対象としたメッセージ表示を可能することで、当該ウェブページの利用範囲が飛躍的に増大する。
【０００８】
また、前記動画の配信を要求する選択肢とメッセージ表示を要求する選択肢とを有するウェブページデータが、公共施設に関するウェブページのデータであってもよい。
【０００９】
また、上記各構成の携帯端末用動画配信装置において、複数のメールアドレスに対して同一内容の電子メールを一斉に配信する一斉メール配信手段を備えるようにしてよい。さらに、前記一斉メール配信手段が、管理者携帯端末からの指示に応じて、複数のメールアドレスに対して同一内容の電子メールを一斉に配信するようにすることが望ましい。これにより、緊急時には災害などによる停電も想定されるが、そのようなときにも一斉メール配信が可能となり、利便性が高くなる。
【発明の効果】
【００１０】
本発明に係る携帯端末用動画配信装置によると、動画の配信を要求する選択肢とメッセージ表示を要求する選択肢とを有するウェブページ、すなわち、動画の配信を要求する選択肢のみを有するウェブページよりも利用範囲の広いウェブページを提供することができる。
【発明を実施するための最良の形態】
【００１１】
本発明の実施形態について図面を参照して以下に説明する。本発明に係る携帯端末用動画配信装置を含む動画配信システムの概略構成例を図１に示す。
【００１２】
図１に示す動画配信システムは、本発明に係る携帯端末用動画配信装置１と、ユーザ携帯電話機２と、管理者パーソナルコンピュータ３と、管理者携帯電話機４とによって構成される。ユーザ携帯電話機２と、管理者パーソナルコンピュータ３と、管理者携帯電話機４とはそれぞれ、インターネットを介して本発明に係る携帯端末用動画配信装置１とのネットワーク通信が可能となっている。
【００１３】
本発明に係る携帯端末用動画配信装置１は、装置全体の動作を制御する制御部１１と、ネットワーク通信部１２と、ウェブページデータを記憶しているウェブページデータ記憶部１３と、動画データを記憶している動画データ記憶部１４と、メッセージデータを記憶しているメッセージデータ記憶部１５と、一斉メール配信に登録された電子メールアドレス、登録者名、及び登録者の属性並びに一斉メール配信済みの電子メール履歴を記憶している電子メールデータ記憶部１６と、各ウェブページの管理者ＩＤと管理者パスワードを記憶している管理者データ記憶部１７とを備えている。
【００１４】
ユーザ携帯電話機２は、装置全体を制御する制御部２１と、ネットワーク通信部２２と、動画データ等を記憶する記憶部２３と、動画データのデコードを行う動画データ処理部２４と、撮影を行うカメラ部２５と、ＱＲコードのデコードを行うＱＲコードデコーダ部２６と、テンキー、上下左右キー、ファンクションキー、オンフックキー、オフフックキー等から成る操作キー部２７と、例えば液晶表示装置から成る表示部２８と、音声出力部２９とを備えている。なお、ユーザ携帯電話機２は、当然の事ながら、通話機能も有している。
【００１５】
管理者パーソナルコンピュータ３は、インターネットに接続可能な一般的なパーソナルコンピュータであるので、詳細な構成の説明は省略する。
【００１６】
管理者携帯電話機４は、インターネットに接続可能な一般的な携帯電話機であるので、詳細な構成の説明は省略する。
【００１７】
次に、携帯端末用動画配信装置１がユーザ携帯電話機２からの配信要求に応じて動画を配信する場合及び携帯端末用動画配信装置１がユーザ携帯電話機２からの配信要求に応じてメッセージを配信する場合における上記構成の動画配信システムの動作について説明する。
【００１８】
ユーザが、入学案内パンフレット等に印刷されているＱＲコードにカメラ部２５の撮像レンズを向け、操作キー部２７に対してＱＲコードの読み込みを指示するキー入力操作を行うと、操作キー部２７の出力に応じて制御部２１がカメラ部２５とＱＲコードデコーダ部２６を制御し、カメラ部２５がＱＲコードを撮影してＱＲコードの画像データを生成し、ＱＲコードデコーダ部２６がそのＱＲコードの画像データをデコードすることにより、所定のＵＲＬ情報を得る。そして、その得られた所定のＵＲＬ情報に基づいて、制御部２１は、ネットワーク通信部２２を介して、所定のＵＲＬのウェブページデータを有しているサーバ（ここでは、本発明に係る携帯端末用動画配信装置１とする）にアクセスし、本発明に係る携帯端末用動画配信装置１に所定のＵＲＬのウェブページデータを送信するように要求する。
【００１９】
なお、ＱＲコードを利用せずに、ユーザが、操作キー部２７に対して所定のＵＲＬを直接入力するキー入力操作を行うようにしてもよい。
【００２０】
本発明に係る携帯端末用動画配信装置１では、ネットワーク通信部１２が、ユーザ携帯電話機２から送られた所定のＵＲＬのウェブページデータの送信要求信号を受け取る。制御部１１は、ネットワーク通信部１２が受け取った所定のＵＲＬのウェブページデータの送信要求信号に応じて、ウェブページデータ記憶部１３に記憶している所定のＵＲＬのウェブページデータを読み出し、ネットワーク通信部１２を介して所定のＵＲＬのウェブページデータをユーザ携帯電話機２に送信する。
【００２１】
ユーザ携帯電話機２では、ネットワーク通信部２２が、本発明に係る携帯端末用動画配信装置１から送られた所定のＵＲＬのウェブページデータを受け取る。制御部２１は、ネットワーク通信部２２が受け取った所定のＵＲＬのウェブページデータに応じて、所定のＵＲＬのウェブページを表示部２８に表示させる。ここで、所定のＵＲＬのウェブページデータは、或る学校（○△学園）のウェブページであり、動画の配信を要求する選択肢とメッセージ表示を要求する選択肢とを有するものとする。この場合、ユーザ携帯電話機２の表示部２８は、例えば図２に示すような表示を行う。図２中の「１．学校案内」、「２．教育方針」、「３．施設紹介」、及び「４．年間行事」はそれぞれ動画の配信を要求する選択肢であり、「お知らせ」はメッセージ表示を要求する選択肢である。
【００２２】
ユーザ携帯電話機２の表示部２８が図２に示す表示を行っている状態で、ユーザによって操作キー部２７の上下キーが押圧されると、反転表示される選択肢が切り替わる。そして、ユーザによって操作キー部２７の決定キーが押圧されると、反転表示されている選択肢の選択が確定する。
【００２３】
例えば、「１．学校案内」が反転表示されているときに、ユーザによって操作キー部２８の決定キーが押圧されると、制御部２１は、ネットワーク通信部２２を介して、本発明に係る携帯端末用動画配信装置１にアクセスし、本発明に係る携帯端末用動画配信装置１に対して、「１．学校案内」に対応する動画データの送信を要求する。
【００２４】
本発明に係る携帯端末用動画配信装置１では、ネットワーク通信部１２が、ユーザ携帯電話機２から送られた「１．学校案内」に対応する動画データの送信要求信号を受け取る。制御部１１は、ネットワーク通信部１２が受け取った「１．学校案内」に対応する動画データの送信要求信号に応じて、ウェブページデータ記憶部１３に記憶されている所定のＵＲＬのウェブページデータを参照して動画データ記憶部１４に記憶している「１．学校案内」に対応する動画データを読み出し、ネットワーク通信部１２を介して「１．学校案内」に対応する動画データをユーザ携帯電話機２に送信する。
【００２５】
ユーザ携帯電話機２では、ネットワーク通信部２２が、本発明に係る携帯端末用動画配信装置１から送られた「１．学校案内」に対応する動画データを受け取る。制御部２１は、ネットワーク通信部２２が受け取った「１．学校案内」に対応する動画データを記憶部２３に記憶させ、記憶終了後直ちに、「１．学校案内」に対応する動画データを動画データ処理部２４にデコードさせ、デコードした動画データの再生画像を表示部２８に表示させ、デコードした動画データの再生音声を音声出力部２９に出力させる。
【００２６】
ネットワーク通信部２２が受け取った動画データを記憶部２３に記憶させることにより、再度動画を見たい場合に本発明に係る携帯端末用動画配信装置１にアクセスすることなく、記憶部２３に記憶されている動画データを読み出しのみで対応可能となる。
【００２７】
また、例えば、「お知らせ」が反転表示されているときに、ユーザによって操作キー部２８の決定キーが押圧されると、制御部２１は、ネットワーク通信部２２を介して、本発明に係る携帯端末用動画配信装置１にアクセスし、本発明に係る携帯端末用動画配信装置１に対して、「お知らせ」に対応するメッセージデータ（テキストデータ）の送信を要求する。
【００２８】
本発明に係る携帯端末用動画配信装置１では、ネットワーク通信部１２が、ユーザ携帯電話機２から送られた「お知らせ」に対応するメッセージデータの送信要求信号を受け取る。制御部１１は、ネットワーク通信部１２が受け取った「お知らせ」に対応するメッセージデータの送信要求信号に応じて、ウェブページデータ記憶部１３に記憶されている所定のＵＲＬのウェブページデータを参照してメッセージデータ記憶部１５に記憶している「お知らせ」に対応するメッセージデータを読み出し、ネットワーク通信部１２を介して「お知らせ」に対応するメッセージデータをユーザ携帯電話機２に送信する。
【００２９】
ユーザ携帯電話機２では、ネットワーク通信部２２が、本発明に係る携帯端末用動画配信装置１から送られた「お知らせ」に対応するメッセージデータを受け取る。制御部２１は、ネットワーク通信部２２が受け取った「お知らせ」に対応するメッセージデータに応じた表示を表示部２８に行わせる。
【００３０】
このように、本発明に係る携帯端末用動画配信装置１は、動画の配信を要求する選択肢とメッセージ表示を要求する選択肢とを有するウェブページ、すなわち、動画の配信を要求する選択肢のみを有するウェブページよりも利用範囲の広いウェブページを提供することができる。
【００３１】
さらに、本発明に係る携帯端末用動画配信装置１は、一斉メール配信機能（登録者のユーザ携帯電話機に対して同一内容の電子メールを一斉に配信する機能）も有している。
【００３２】
ここで、一斉メール配信の登録方法例について説明する。まず、一斉メール配信の登録を希望するユーザが、一斉メール配信登録用ＱＲコードにユーザ携帯電話機２のカメラ部２５の撮像レンズを向け、操作キー部２７に対して一斉メール配信登録用ＱＲコードの読み込みを指示するキー入力操作を行うと、操作キー部２７の出力に応じて制御部２１がカメラ部２５とＱＲコードデコーダ部２６を制御し、カメラ部２５が一斉メール配信登録用ＱＲコードを撮影して一斉メール配信登録用ＱＲコードの画像データを生成し、ＱＲコードデコーダ部２６がその一斉メール配信登録用ＱＲコードの画像データをデコードすることにより、一斉メール配信登録用メールアドレスを得る。そして、その得られた一斉メール配信登録用メールアドレスに基づいて、制御部２１は、ネットワーク通信部２２を介して、本発明に係る携帯端末用動画配信装置１に一斉メール配信登録用空メールを送る。
【００３３】
本発明に係る携帯端末用動画配信装置１では、ネットワーク通信部１２が、一斉メール配信登録用空メールを受け取る。制御部１１は、ネットワーク通信部１２が受け取った一斉メール配信登録用空メールに応じて、電子メールデータ記憶部１６に記憶している登録フォームメール用データを読み出し、ネットワーク通信部１２を介して登録フォームメールを、一斉メール配信登録用空メールを送ってきたユーザ携帯電話機２に送信する。
【００３４】
登録フォームメールをネットワーク通信部２２で受信したユーザ携帯電話機２では、制御部２１が、登録フォームメールに応じて、登録フォームを表示部２８に表示させる。ユーザは、表示部２８に表示された登録フォームに従って、電子メールアドレスと、氏名と、学年やクラス等の属性とを入力するキー入力操作を操作キー部２７に対して行い、入力完了後に、メールを返信する。
【００３５】
本発明に係る携帯端末用動画配信装置１では、ネットワーク通信部１２が、返信メールを受け取り、制御部１１が、返信メールの内容を電子メールデータ記憶部１６に記憶する。これにより、一斉メール配信登録が完了する。
【００３６】
続いて、管理者による一斉メール配信及びメッセージ表示の管理について説明する。本発明に係る携帯端末用動画配信装置１は、非携帯端末向け管理者用ウェブサイトデータと携帯端末向け管理者用ウェブサイトデータの両方をウェブページデータ記憶部１３に記憶しているので、管理者は管理者パーソナルコンピュータ３を用いても、管理者携帯電話機４を用いてもメール配信及びメッセージ表示の管理を行うことができる。緊急時には災害などによる停電も想定されるが、そのようなときには管理者は管理者携帯電話機４を用いて一斉メール配信やメッセージの新規登録が行えるので、利便性が高い。
【００３７】
ここでは、管理者が管理者携帯電話機４を用いて一斉メール配信及びメッセージ表示の管理を行う方法について説明する。
【００３８】
まず、管理者は、管理者携帯電話機４を用いて、携帯端末向け管理者用ウェブサイトのログインページにアクセスする。このとき、本発明に係る携帯端末用動画配信装置１では、管理者携帯電話機４からのログインページデータの送信要求信号に応じて、制御部１１が、ウェブページデータ記憶部１７に記憶している携帯端末向け管理者用ウェブサイトのログインページデータを読み出して、その読み出したデータをネットワーク通信部１２を介して管理者携帯電話機４に送信する。これにより、管理者携帯電話機４の表示部に、図３（ａ）に示す携帯端末向け管理者用ウェブサイトの管理者ログインページが表示される。
【００３９】
管理者携帯電話機４の表示部が図３（ａ）に示す表示を行っている状態で、ＩＤとPasswordが正しく入力され、「ログインする」という選択肢が選択されると、本発明に係る携帯端末用動画配信装置１からの送信データに応じて、管理者携帯電話機４の表示部が図３（ｂ）に示す表示を行う。
【００４０】
管理者携帯電話機４の表示部が図３（ｂ）に示す表示を行っている状態で、「会員削除」という選択肢が選択されると、本発明に係る携帯端末用動画配信装置１からの送信データに応じて、図４（ａ）に示す表示となる。管理者携帯電話機４の表示部が図４（ａ）に示す表示を行っている状態で、[メールアドレス]、[氏名]、[学年]が入力され、「検索する」という選択肢が選択されると、本発明に係る携帯端末用動画配信装置１からの送信データに応じて、図４（ｂ）に示す表示となる。管理者携帯電話機４の表示部が図４（ｂ）に示す表示を行っている状態で、検索結果一覧の中から一つの会員データが選択されると、本発明に係る携帯端末用動画配信装置１からの送信データに応じて、図４（ｃ）に示す表示となる。管理者携帯電話機４の表示部が図４（ｃ）に示す表示を行っている状態で、「削除する」という選択肢が選択されると、本発明に係る携帯端末用動画配信装置１の電子メールデータ記憶部１６から該当する会員データ（登録者データ）が削除されたのち、本発明に係る携帯端末用動画配信装置１からの送信データに応じて、図４（ｄ）に示す表示となる。管理者携帯電話機４の表示部が図４（ｄ）に示す表示を行っている状態で、「メニューに戻る」という選択肢が選択されると、本発明に係る携帯端末用動画配信装置１からの送信データに応じて、図３（ｂ）に示す表示となる。
【００４１】
また、管理者携帯電話機４の表示部が図３（ｂ）に示す表示を行っている状態で、「お知らせ文書登録」という選択肢が選択されると、本発明に係る携帯端末用動画配信装置１からの送信データに応じて、図５に示す表示となる。
【００４２】
管理者携帯電話機４の表示部が図５に示す表示を行っている状態で、「登録」という選択肢が選択されると、本発明に係る携帯端末用動画配信装置１からの送信データに応じて、図６（ａ）に示す表示となる。管理者携帯電話機４の表示部が図６（ａ）に示す表示を行っている状態で、[件名]、[本文]が入力され、「登録する」という選択肢が選択されると、本発明に係る携帯端末用動画配信装置１からの送信データに応じて、図６（ｂ）に示す表示となる。管理者携帯電話機４の表示部が図６（ｂ）に示す表示を行っている状態で、「登録する」という選択肢が選択されると、本発明に係る携帯端末用動画配信装置１のメッセージデータ記憶部１５に新規メッセージが記憶されたのち、本発明に係る携帯端末用動画配信装置１からの送信データに応じて、図６（ｃ）に示す表示となる。管理者携帯電話機４の表示部が図６（ｃ）に示す表示を行っている状態で、「メニューに戻る」という選択肢が選択されると、本発明に係る携帯端末用動画配信装置１からの送信データに応じて、図３（ｂ）に示す表示となる。
【００４３】
管理者携帯電話機４の表示部が図５に示す表示を行っている状態で、「更新」という選択肢が選択されると、本発明に係る携帯端末用動画配信装置１からの送信データに応じて、図７（ａ）に示す表示となる。管理者携帯電話機４の表示部が図７（ａ）に示す表示を行っている状態で、[件名]が入力され、「検索する」という選択肢が選択されると、本発明に係る携帯端末用動画配信装置１からの送信データに応じて、図７（ｂ）に示す表示となる。管理者携帯電話機４の表示部が図７（ｂ）に示す表示を行っている状態で、検索結果一覧の中から一つのお知らせ文書が選択されると、本発明に係る携帯端末用動画配信装置１からの送信データに応じて、図７（ｃ）に示す表示となる。管理者携帯電話機４の表示部が図７（ｃ）に示す表示を行っている状態で、「確認する」という選択肢が選択されると、本発明に係る携帯端末用動画配信装置１からの送信データに応じて、図７（ｄ）に示す表示となる。管理者携帯電話機４の表示部が図７（ｄ）に示す表示を行っている状態で、「登録する」という選択肢が選択されると、本発明に係る携帯端末用動画配信装置１のメッセージデータ記憶部１５に記憶されている該当メッセージが更新されたのち、本発明に係る携帯端末用動画配信装置１からの送信データに応じて、図７（ｅ）に示す表示となる。管理者携帯電話機４の表示部が図７（ｅ）に示す表示を行っている状態で、「メニューに戻る」という選択肢が選択されると、本発明に係る携帯端末用動画配信装置１からの送信データに応じて、図３（ｂ）に示す表示となる。
【００４４】
管理者携帯電話機４の表示部が図５に示す表示を行っている状態で、「削除」という選択肢が選択されると、本発明に係る携帯端末用動画配信装置１からの送信データに応じて、図８（ａ）に示す表示となる。管理者携帯電話機４の表示部が図８（ａ）に示す表示を行っている状態で、[件名]が入力され、「検索する」という選択肢が選択されると、本発明に係る携帯端末用動画配信装置１からの送信データに応じて、図８（ｂ）に示す表示となる。管理者携帯電話機４の表示部が図８（ｂ）に示す表示を行っている状態で、検索結果一覧の中から一つのお知らせ文書が選択されると、本発明に係る携帯端末用動画配信装置１からの送信データに応じて、図８（ｃ）に示す表示となる。管理者携帯電話機４の表示部が図８（ｃ）に示す表示を行っている状態で、「削除する」という選択肢が選択されると、本発明に係る携帯端末用動画配信装置１のメッセージデータ記憶部１５に記憶されている該当メッセージが削除されたのち、本発明に係る携帯端末用動画配信装置１からの送信データに応じて、図８（ｄ）に示す表示となる。管理者携帯電話機４の表示部が図８（ｄ）に示す表示を行っている状態で、「メニューに戻る」という選択肢が選択されると、本発明に係る携帯端末用動画配信装置１からの送信データに応じて、図３（ｂ）に示す表示となる。
【００４５】
また、管理者携帯電話機４の表示部が図３（ｂ）に示す表示を行っている状態で、「お知らせ配信登録」という選択肢が選択されると、本発明に係る携帯端末用動画配信装置１からの送信データに応じて、図９に示す表示となる。
【００４６】
管理者携帯電話機４の表示部が図９に示す表示を行っている状態で、「テスト配信」という選択肢が選択されると、本発明に係る携帯端末用動画配信装置１からの送信データに応じて、図１０（ａ）に示す表示となる。管理者携帯電話機４の表示部が図１０（ａ）に示す表示を行っている状態で、[メール文書] の選択候補から一つのメッセージが選択され、「確認する」という選択肢が選択されると、本発明に係る携帯端末用動画配信装置１からの送信データに応じて、図１０（ｂ）に示す表示となる。なお、[メール文書]の選択候補は、本発明に係る携帯端末用動画配信装置１のメッセージデータ記憶部１５が記憶しているメッセージであり、その件名と保存年月が一覧表示される。管理者携帯電話機４の表示部が図１０（ｂ）に示す表示を行っている状態で、「配信する」という選択肢が選択されると、本発明に係る携帯端末用動画配信装置１が該当メッセージデータを電子メールデータ記憶部１６に予め記憶されているテスト配信用メールアドレスに配信したのち、本発明に係る携帯端末用動画配信装置１からの送信データに応じて、図１０（ｃ）に示す表示となる。管理者携帯電話機４の表示部が図１０（ｃ）に示す表示を行っている状態で、「メニューに戻る」という選択肢が選択されると、本発明に係る携帯端末用動画配信装置１からの送信データに応じて、図３（ｂ）に示す表示となる。
【００４７】
管理者携帯電話機４の表示部が図９に示す表示を行っている状態で、「通常配信」という選択肢が選択されると、本発明に係る携帯端末用動画配信装置１からの送信データに応じて、図１１（ａ）に示す表示となる。管理者携帯電話機４の表示部が図１１（ａ）に示す表示を行っている状態で、[メール文書] の選択候補から一つのメッセージが選択され、[配信区分]の選択候補から少なくとも一つが選択され、「確認する」という選択肢が選択されると、本発明に係る携帯端末用動画配信装置１からの送信データに応じて、図１１（ｂ）に示す表示となる。なお、[メール文書]の選択候補は、本発明に係る携帯端末用動画配信装置１のメッセージデータ記憶部１５が記憶しているメッセージであり、その件名と保存年月が一覧表示される。管理者携帯電話機４の表示部が図１１（ｂ）に示す表示を行っている状態で、「配信する」という選択肢が選択されると、本発明に係る携帯端末用動画配信装置１が該当メッセージデータを電子メールデータ記憶部１６に記憶されているメールアドレスのうち該当配信区分に適合するメールアドレスに一斉メール配信したのち、本発明に係る携帯端末用動画配信装置１からの送信データに応じて、図１１（ｃ）に示す表示となる。なお、[配信区分]の「お知らせ文書更新」が選択されている場合、本発明に係る携帯端末用動画配信装置１のメッセージデータ記憶部１５が記憶している該当メッセージの保存年月が更新される。また、[配信区分]の選択候補のうち「お知らせ文書更新」のみが選択されている場合、該当配信区分に適合するメールアドレスが無いため、図１１（ｃ）に示す表示にもかかわらず、実際には一斉メール配信は行われない。管理者携帯電話機４の表示部が図１１（ｃ）に示す表示を行っている状態で、「メニューに戻る」という選択肢が選択されると、本発明に係る携帯端末用動画配信装置１からの送信データに応じて、図３（ｂ）に示す表示となる。
【００４８】
上記実施形態では、学校のウェブページデータを記憶する携帯端末用動画配信装置を例に挙げて説明したが、他の公共施設のウェブページデータを記憶する携帯端末用動画配信装置にも本発明を適用することができる。例えば、病院のウェブページデータを記憶する携帯端末用動画配信装置の場合、各動画データを病院案内に関するもの、診療説明に関するもの、地図案内に関するもの、施設案内に関するものなどにし、メッセージの内容を求人案内や休診日のお知らせなどにすることができる。
【図面の簡単な説明】
【００４９】
【図１】は、本発明に係る携帯端末用動画配信装置を含む動画配信システムの概略構成例を示す図である。
【図２】は、本発明に係る携帯端末用動画配信装置が提供する或る学校のウェブページの表示を示す図である。
【図３】は、管理者携帯電話機の表示部の表示例を示す図である。
【図４】は、管理者携帯電話機の表示部の表示例を示す図である。
【図５】は、管理者携帯電話機の表示部の表示例を示す図である。
【図６】は、管理者携帯電話機の表示部の表示例を示す図である。
【図７】は、管理者携帯電話機の表示部の表示例を示す図である。
【図８】は、管理者携帯電話機の表示部の表示例を示す図である。
【図９】は、管理者携帯電話機の表示部の表示例を示す図である。
【図１０】は、管理者携帯電話機の表示部の表示例を示す図である。
【図１１】は、管理者携帯電話機の表示部の表示例を示す図である。
【符号の説明】
【００５０】
１    本発明に係る携帯端末用動画配信装置
２    ユーザ携帯電話機
３    管理者パーソナルコンピュータ
４    管理者携帯電話機
１１    制御部
１２    ネットワーク通信部
１３    ウェブページデータ記憶部
１４    動画データ記憶部
１５    メッセージデータ記憶部
１６    電子メールデータ記憶部
１７    管理者データ記憶部
２１    制御部
２２    ネットワーク通信部
２３    記憶部
２４    動画データ処理部
２５    カメラ部
２６    ＱＲコードデコーダ部
２７    操作キー部
２８    表示部
２９    音声出力部
【図１】
2009060218.tif 000003
【図２】
2009060218.tif 000004
【図３】
2009060218.tif 000005
【図４】
2009060218.tif 000006
【図５】
2009060218.tif 000007
【図６】
2009060218.tif 000008
【図７】
2009060218.tif 000009
【図８】
2009060218.tif 000010
【図９】
2009060218.tif 000011
【図１０】
2009060218.tif 000012
【図１１】
2009060218.tif 000013